(57)【特許請求の範囲】
【請求項１】
コネクタハウジングの端子挿入孔の内周に密着する環状のリップ部を外周に備えた胴部と、該胴部の先端から延設されると共に端子金具のインシュレーションバレルによって上記電線の外周に圧着される固定部とからなり、上記胴部と固定部の軸心に上記電線の外周に弾性的に密着可能な電線挿通孔を形成した防水ゴム栓において、
上記電線挿通孔の固定部側の内径を胴部側の内径より小径に設定すると共に、固定部側の内径を先端方へ至るに従いテーパー状に縮径させて、上記電線の外周に対する固定部側の弾性密着度を先端側に向けて次第に高める設定とし、該固定部の先端内周面の全面を最も強く電線外周面の全面に密着させ、
上記固定部側の外径も内径と同様にテーパー状に縮径させて、該固定部の肉厚を胴部の肉厚よりも薄肉とし、さらに、上記固定部の先端外周に先端を先細りとする面取部を設けて、固定部の先端の肉厚をさらに薄肉としていることを特徴とする防水ゴム栓。
【請求項２】
上記胴部の外周面に設ける環状のリップ部は、軸線方向に間隔をあけて複数設けると共に、該リップ部を設けた内周部には凹部を設け、上記胴部の先端開口の内径は挿通する電線外径よりも小とし、軸線方向両端の胴部および固定部の先端で電線外周面に密着させている請求項１に記載の防水ゴム栓。
【発明の詳細な説明】
【０００１】
【発明の属する技術分野】
本発明は防水ゴム栓に関し、詳しくは、コネクタハウジングの端子挿入孔内へ防水ゴム栓付端子金具を挿入する場合の挿入作業性を向上するものである。
【０００２】
【従来の技術】
従来、防水コネクタに使用する防水ゴム栓付の端子金具としては、例えば特開平７−２８２８９３号公報に記載のものが知られている。図４（Ａ）に示すように、この端子金具１に圧着して接続される電線Ｗの端末には外周にリップ部２ａを備えた筒状の防水ゴム栓２が外嵌されている。そして、図４（Ｂ）に示すように、この防水ゴム栓２の先端の固定部２ｂを端子金具１の後端に突設した一対のインシュレーションバレル１ａにより包み込むようにして圧着することで端子金具１に防水ゴム栓２を固定すると共に、電線Ｗの先端を皮剥ぎした芯線Ｗａをワイヤバレル１ｂにより圧着するようにしている。
【０００３】
【発明が解決しようとする課題】
上記のようにして防水ゴム栓２の固定部２ｂは、電線Ｗと共にインシュレーションバレル１ａによって圧着されるため、その圧着部分がＡ方向に圧縮され、これに伴ない固定部２ｂの先端がＢ方向に反り上がるようになる。このような状態は、端子金具１が比較的大きく、防水ゴム栓２のリップ部２ａと固定部２ｂとの間に径差がある場合は問題ないが、端子金具の小型化に伴ない、リップ部２ａと固定部２ｂとの間の径差が少ない場合に問題が発生する。即ち、固定部２ｂの先端が外方に反り上がっていると、端子金具１をコネクタハウジングＨの端子挿入孔Ｃに挿入する場合、この反り上がった部分が端子挿入孔Ｃの内周に引っ掛かって捲れ上がるため、挿入抵抗が増大して挿入作業性を低下させると共に、著しい場合は固定部２ｂがインシュレーションバレル１ａから外れてしまう可能性があった。
【０００４】
本発明は上記問題に鑑みてなされたもので、本発明では、防水ゴム栓付の小型の端子金具をコネクタハウジングの端子挿入孔に挿入する場合の挿入抵抗の増大等のトラブルを解消する防水ゴム栓を提供するものである。
【０００５】
【課題を解決するための手段】
上記課題を解決するため、本発明では、コネクタハウジングの端子挿入孔の内周に密着する環状のリップ部を外周に備えた胴部と、該胴部の先端から延設されると共に端子金具のインシュレーションバレルによって上記電線の外周に圧着される固定部とからなり、上記胴部と固定部の軸心に上記電線の外周に弾性的に密着可能な電線挿通孔を形成した防水ゴム栓において、
上記電線挿通孔の固定部側の内径を胴部側の内径より小径に設定すると共に、固定部側の内径を先端方へ至るに従いテーパー状に縮径させて、上記電線の外周に対する固定部側の弾性密着度を先端側に向けて次第に高める設定とし、該固定部の先端内周面の全面を最も強く電線外周面の全面に密着させ、
上記固定部側の外径も内径と同様にテーパー状に縮径させて、該固定部の肉厚を胴部の肉厚よりも薄肉とし、さらに、上記固定部の先端外周に先端を先細りとする面取部を設けて、固定部の先端の肉厚をさらに薄肉としていることを特徴とする防水ゴム栓を提供している。
【０００６】
上記構成によれば、防水ゴム栓の固定部側が胴部側より電線の外周により強く弾性密着した状態となる。このため、固定部の外周に端子金具のインシュレーションバレルを圧着することで固定部が圧縮されても、固定部先端が外周方向へ捲れ上がるのを防止できる。よって、固定部先端の捲れ上がりによる端子挿入孔内周への引っ掛かりが防止でき、端子挿入時に挿入抵抗が増大することがない。また、電線に対する弾性密着度を高める設定の範囲は、肉厚の薄い小径の固定部のみの部分的設定となっているため、電線挿通孔への電線挿入抵抗の増加を少なくすることができる。
【０００７】
また、上記固定部側における電線挿通孔の内径は、先端方へ至るに従いテーパー状に縮径する設定としているため、インシュレーションバレルの圧着により捲れやすい固定部の先端を特に電線に強く密着させて捲れ防止を図ることができると共に、強い密着範囲を少なくできるので電線挿通孔への電線の挿入抵抗増大を最小限に止めることができる。
【０００８】
【発明の実施の形態】
本発明の実施形態を図面を参照して説明する。
図１は本発明に係る防水ゴム栓１０の実施形態の断面図を示し、ゴム製よりなる円筒状で肉厚の胴部１１と、この胴部１１の先端から一体的に延設された薄肉の固定部１２から構成している。防水ゴム栓１０の軸心には、電線Ｗの外周に弾性的に密着可能な電線挿通孔１３を形成している。
【０００９】
胴部１１の外周には、コネクタハウジングＨの端子挿入孔Ｃの内周に所要間隔毎に密着する複数の環状のリップ部１１ａを突設する一方、内周にはリップ部１１ａの突設位置に略対応して電線Ｗの挿入抵抗を軽減するための凹部１１ｂを周設している。固定部１２は、図２に示すように、防水ゴム栓１０を端子金具２０のインシュレーションバレル２０ａによって電線Ｗの外周に圧着固定するための領域としている。
【００１０】
上記電線挿通孔１３は、凹部により拡径する部分を除いて、固定部１２側の内径ｄ２を胴部１１側の内径ｄ１より小径とし、固定部１２において電線Ｗに対する弾性密着度を高める設定としている。詳しくは、固定部１２の内径および外径は、胴部１１との境界部から固定部１２の先端方へ至るにテーパー状に縮径するようにし、更に固定部１２の先端外周には先端を先細りとする面取部１２ａを形成している。なお、本実施形態において胴部１１および固定部１２の内径ｄ１、ｄ２は、具体的には、電線Ｗの外径Ｄ＝１．４〜１．７ｍｍのとき。ｄ１＝１．１５ｍｍ、ｄ２＝１．０ｍｍとしている。
【００１１】
次に、図２、図３に示すように、上記構成からなる防水ゴム栓１０を用いて電線Ｗと共に端子金具２０に圧着し、これをコネクタハウジングＨに挿入する状態ついて説明する。先ず電線Ｗの外周端末に電線挿通孔１３を通して防水ゴム栓１０を装着し、次いで、電線Ｗの端末を皮剥ぎして芯線Ｗａを露出させる。このとき、固定部１２では内径が小径に設定されているため、胴部１１に比し電線Ｗの外周により強く弾性密着した状態となる。特に先端部においては最も内径が小さくなるので、より強く密着する。なお、固定部１２では胴部１１より薄肉なので、防水ゴム栓１０への電線Ｗの挿入操作に際しては、挿入抵抗の増加はごく僅かである。
【００１２】
続いて、防水ゴム栓１２が装着された電線Ｗを、防水ゴム栓１０の固定部１２が端子金具２０のインシュレーションバレル２０ａに、芯線Ｗａがワイヤバレル２０ｂのそれぞれ対応するように位置決めして、プレス機によって圧着固定する。芯線Ｗａに対しては充分な電気的接触性と引っ張り強度を得るため強く圧着されるが、防水ゴム栓１０に対しては、その材質からして損傷を与えない程度で若干圧縮する程度に軽く圧着される。
【００１３】
インシュレーションバレル２０ａは、固定部１２の中央部に対し両側からラップして巻き付けるように圧着されて、その部分を若干圧縮することで防水ゴム栓１０を抜け止めするようにしている。このため、インシュレーションバレル２０ａが圧着された部分から飛び出している先端方の領域は、その反力により上方へ捲れ上がろうとするが、本発明においては、固定部１２の先端が電線Ｗの外周に強く弾性密着しているので、固定部１２の先端は捲れ上がることはない。従って、端子挿入孔Ｃへの端子金具２０の挿入作業に際して、防水ゴム栓１０の固定部１２の先端が端子挿入孔Ｃの内周に引っ掛かることによる挿入抵抗の増加を招くことがない。
【００１４】
【発明の効果】
以上の説明より明らかなように、本発明によれば、防水ゴム栓の固定部がインシュレーションバレルによって圧縮されても固定部の先端が捲れ上がることがない。従って、固定部の先端が捲れ上がることによってコネクタハウジングの端子挿入孔の内周と接触することに起因する端子金具挿入抵抗の増加を防止できる。よって、防水ゴム栓を装着した端子金具の円滑な挿入作業性を確保することができる。特に、リップ部と固定部との径差が小さい防水ゴム栓を圧着した小型の端子金具への適用において効果を発揮することができる。
【図面の簡単な説明】
【図１】  本発明に係る防水ゴム栓の実施形態を示す断面図である。
【図２】  電線端末に防水ゴム栓を装着して端子金具を圧着した状態の斜視図である。
【図３】  防水ゴム栓の圧着部の要部とコネクタハウジングの端子挿入孔との関係を示す部分拡大図である。
【図４】  （Ａ）（Ｂ）は従来例を示す図である。
【符号の説明】
Ｗ        電線
Ｈ        コネクタハウジング
Ｃ        端子挿入孔
１０      防水ゴム栓
１１      胴部
１１ａ    リップ部
１２      固定部
１３      電線挿通孔
２０      端子金具
２０ａ  インシュレーションバレル
【図１】
0003676729.tif 000002
【図２】
0003676729.tif 000003
【図３】
0003676729.tif 000004
【図４】
0003676729.tif 000005